(57)【要約】【課題】利便性の向上を実現できる画像読取装置を提供する。【解決手段】画像読取装置１は、第１導入口１１と、第１排出口１２と、第１搬送路１０と、第２導入口２１と、第２排出口２２と、第２搬送路２０とが形成される筐体３０と、筐体３０に対して開位置と閉位置との間で変位可能に設けられ、開位置では第１媒体ＳＨが第１導入口１１に導入可能に載置され、閉位置では第１導入口１１を閉鎖し、かつ第２導入口２１及び第２排出口２２を閉鎖しない給送トレイ３６と、第２導入口２１に導入された第２媒体ＣＡを第２搬送路２０において搬送する搬送部４０と、第１搬送路１０において搬送される第１媒体ＳＨの画像を読み取るとともに、第２搬送路２０において搬送される第２媒体ＣＡの画像を読み取る読取部５５と、搬送部４０の駆動を制御する制御部５４とを備え、給送トレイ３６が閉位置にある状態で搬送部４０に第２媒体ＣＡを搬送させるように構成される。【選択図】図７
2014053756.tif 000002
【特許請求の範囲】
【請求項１】
第１媒体が導入されるように構成される第１導入口と、前記第１媒体が排出されるように構成される第１排出口と、前記第１導入口から前記第１排出口へ前記第１媒体を案内するように構成される第１搬送路と、前記第１媒体よりも幅狭の第２媒体が導入されるように構成される第２導入口と、前記第２媒体が排出されるように構成される第２排出口と、前記第２導入口から前記第２排出口へ前記第２媒体を案内するように構成される第２搬送路とが形成されている筐体と、
前記筐体に対して開位置と閉位置との間で変位可能に設けられ、前記開位置では前記第１媒体が前記第１導入口に導入可能に載置されるように構成され、前記閉位置では前記第１導入口を閉鎖し、かつ前記第２導入口及び前記第２排出口を閉鎖しないように構成される給送トレイと、
前記筐体内に設けられ、前記第２導入口に導入された前記第２媒体を前記第２搬送路において搬送するように構成される搬送部と、
前記筐体内に設けられ、前記第１搬送路において搬送される前記第１媒体の画像を読み取るように構成されているとともに、前記第２搬送路において搬送される前記第２媒体の画像を読み取るように構成される読取部と、
前記搬送部の駆動を制御するように構成される制御部とを備え、
前記給送トレイが前記閉位置にある状態で、前記搬送部に前記第２媒体を搬送させるように構成されていることを特徴とする画像読取装置。
【請求項２】
前記給送トレイの前記筐体に対する位置を検知する位置検知部を備え、
前記制御部は、前記位置検知部の検知結果に基づいて、前記搬送部の駆動を制御するように構成されている請求項１記載の画像読取装置。
【請求項３】
前記制御部は、前記位置検知部の検知結果に基づいて、前記給送トレイが前記閉位置にあると判断する場合に、前記搬送部を駆動するように構成されている請求項２記載の画像読取装置。
【請求項４】
前記第２導入口における前記第２媒体の有無を検知可能な媒体検知部を備え、
前記制御部は、前記媒体検知部の検知結果に基づいて、前記搬送部を駆動するように構成されている請求項２又は３記載の画像読取装置。
【請求項５】
前記制御部は、低消費電力状態に切り替えることが可能であり、前記媒体検知部の検知結果に基づいて、前記第２導入口において前記第２媒体が存在すると判断する場合に、前記低消費電力状態を解除するように構成されている請求項４記載の画像読取装置。
【請求項６】
外部からの操作を受け付けるように構成される操作部を備え、
前記制御部は、前記第２媒体の搬送開始指示の操作を前記操作部が受け付けた場合に、前記搬送部を駆動するように構成されている請求項１乃至５のいずれか１項記載の画像読取装置。
【請求項７】
前記操作部は、前記筐体の一面に設けられ、
前記給送トレイは、前記閉位置で前記筐体の前記一面を覆うように構成され、
前記給送トレイには、前記閉位置で前記操作部を外部に露出させるように構成される操作開口が形成されている請求項６記載の画像読取装置。
【請求項８】
前記給送トレイは、前記筐体に対して前記開位置と前記閉位置との間で回動軸心周りに回動可能に設けられ、
前記第２導入口及び前記第２排出口の少なくとも一方である開口は、前記第２媒体の搬送方向において、前記読取部に対して前記回動軸心と反対側に位置し、
前記給送トレイが前記閉位置にある状態では、前記給送トレイの先端縁側が前記開口に向かって延び、
前記閉位置にある前記給送トレイの表面における前記回動軸心から前記先端縁までの距離は、前記筐体の表面における前記回動軸心から前記開口までの距離より小さい請求項１乃至７のいずれか１項記載の画像読取装置。
【請求項９】
前記第１導入口及び前記第２導入口は、前記第２媒体の搬送方向において、前記読取部に対して同じ側に位置し、
前記第１排出口及び前記第２排出口は、前記第２媒体の搬送方向において、前記読取部に対して前記第１導入口及び前記第２導入口と反対側に位置している請求項１乃至８のいずれか１項記載の画像読取装置。
【請求項１０】
前記第１搬送路の一部は、前記第２搬送路の一部を兼ねている請求項１乃至９のいずれか１項記載の画像読取装置。
【請求項１１】
第１媒体が導入されるように構成される第１導入口と、前記第１媒体が排出されるように構成される第１排出口と、前記第１導入口から前記第１排出口へ前記第１媒体を案内するように構成される第１搬送路と、前記第１媒体よりも幅狭の第２媒体が導入されるように構成される第２導入口と、前記第２媒体が排出されるように構成される第２排出口と、前記第２導入口から前記第２排出口へ前記第２媒体を案内するように構成される第２搬送路とが形成されている筐体と、
前記筐体に対して開位置と閉位置との間で変位可能に設けられ、前記開位置では前記第１媒体が前記第１導入口に導入可能に載置されるように構成され、前記閉位置では前記第１導入口を閉鎖し、かつ前記第２導入口及び前記第２排出口を閉鎖しないように構成される給送トレイと、
前記筐体内に設けられ、前記第２導入口に導入された前記第２媒体を前記第２搬送路において搬送するように構成される搬送部と、
前記筐体内に設けられ、前記第１搬送路において搬送される前記第１媒体の画像を読み取るように構成されているとともに、前記第２搬送路において搬送される前記第２媒体の画像を読み取るように構成される読取部と、
前記第２導入口における前記第２媒体の有無を検知可能な媒体検知部とを備え、
前記搬送部は、前記給送トレイが前記閉位置にある状態で、前記媒体検知部により前記第２導入口において前記第２媒体が検知される場合に、前記第２媒体を前記第２排出口に向けて搬送するように構成されていることを特徴とする画像読取装置。
【請求項１２】
第１媒体が導入されるように構成される第１導入口と、前記第１媒体が排出されるように構成される第１排出口と、前記第１導入口から前記第１排出口へ前記第１媒体を案内するように構成される第１搬送路と、前記第１媒体よりも幅狭の第２媒体が導入されるように構成される第２導入口と、前記第２媒体が排出されるように構成される第２排出口と、前記第２導入口から前記第２排出口へ前記第２媒体を案内するように構成される第２搬送路とが形成されている筐体と、
前記筐体に対して開位置と閉位置との間で変位可能に設けられ、前記開位置では前記第１媒体が前記第１導入口に導入可能に載置されるように構成され、前記閉位置では前記第１導入口を閉鎖し、かつ前記第２導入口及び前記第２排出口を閉鎖しないように構成される給送トレイと、
前記筐体内に設けられ、前記第２導入口に導入された前記第２媒体を前記第２搬送路において搬送するように構成される搬送部と、
前記筐体内に設けられ、前記第１搬送路において搬送される前記第１媒体の画像を読み取るように構成されているとともに、前記第２搬送路において搬送される前記第２媒体の画像を読み取るように構成される読取部と、
外部からの操作を受け付けるように構成される操作部とを備え、
前記搬送部は、前記給送トレイが前記閉位置にある状態で、前記操作部が前記操作を受け付けた場合に、前記第２導入口に導入された前記第２媒体を前記第２排出口に向けて搬送するように構成されていることを特徴とする画像読取装置。
【請求項１３】
第１媒体が導入されるように構成される第１導入口と、前記第１媒体が排出されるように構成される第１排出口と、前記第１導入口から前記第１排出口へ前記第１媒体を案内するように構成される第１搬送路と、前記第１媒体よりも幅狭の第２媒体が導入されるように構成される第２導入口と、前記第２媒体が排出されるように構成される第２排出口と、前記第２導入口から前記第２排出口へ前記第２媒体を案内するように構成される第２搬送路とが形成されている筐体と、
前記筐体に対して開位置と閉位置との間で変位可能に設けられ、前記開位置では前記第１媒体が前記第１導入口に導入可能に載置されるように構成され、前記閉位置では前記第１導入口を閉鎖するように構成される給送トレイと、
前記筐体内に設けられ、前記第２導入口に導入された前記第２媒体を前記第２搬送路において搬送するように構成される搬送部と、
前記筐体内に設けられ、前記第１搬送路において搬送される前記第１媒体の画像を読み取るように構成されているとともに、前記第２搬送路において搬送される前記第２媒体の画像を読み取るように構成される読取部とを備え、
前記給送トレイは、前記筐体に対して前記開位置と前記閉位置との間で回動軸心周りに回動可能に設けられ、
前記第２導入口及び前記第２排出口の少なくとも一方である開口は、前記第２媒体の搬送方向において、前記読取部に対して前記回動軸心と反対側に位置し、
前記給送トレイが前記閉位置にある状態では、前記給送トレイの先端縁側が前記開口に向かって延び、
前記閉位置にある前記給送トレイの表面における前記回動軸心から前記先端縁までの距離は、前記筐体の表面における前記回動軸心から前記開口までの距離より小さいことを特徴とする画像読取装置。
【発明の詳細な説明】
【技術分野】
【０００１】
本発明は画像読取装置に関する。
【背景技術】
【０００２】
例えば、特許文献１に画像読取装置の一例が開示されているように、画像読取装置は、筐体と、給送トレイと、搬送部と、読取部とを備えている。
【０００３】
筐体には、第１導入口と、第１排出口と、第１搬送路と、第２導入口と、第２排出口と、第２搬送路とが形成されている。第１導入口は、第１媒体が導入されるように構成されている。第１排出口は、第１媒体が排出されるように構成されている。第１搬送路は、第１導入口から第１排出口へ第１媒体を案内するように構成されている。第２導入口は、第１媒体よりも幅狭の第２媒体が導入されるように構成されている。第２排出口は、第２媒体が排出されるように構成されている。第２搬送路は、第２導入口から第２排出口へ第２媒体を案内するように構成されている。
【０００４】
給送トレイは、開いた状態で、第１媒体が第１導入口に導入可能に載置されるように構成されている。
【０００５】
搬送部は、筐体内に設けられ、第２導入口に導入された第２媒体を第２搬送路において搬送するように構成されている。
【０００６】
読取部は、筐体内に設けられ、第１搬送路において搬送される第１媒体の画像を読み取るように構成されている。それとともに、読取部は、第２搬送路において搬送される第２媒体の画像を読み取るように構成されている。
【０００７】
この画像読取装置では、第１導入口に導入された第１媒体が第１搬送路において搬送される。そして、読取部が第１搬送路において搬送される第１媒体の画像を読み取る。また、この画像読取装置では、第２導入口に導入された第２媒体が搬送部により第２搬送路において搬送される。そして、読取部が第２搬送路において搬送される第２媒体の画像を読み取る。
【先行技術文献】
【特許文献】
【０００８】
【特許文献１】特開２０１２−１００１１５号公報
【発明の概要】
【発明が解決しようとする課題】
【０００９】
ところで、上記画像読取装置では、給送トレイは、第１媒体を搬送するために必要ではあるが、第２媒体を搬送するためには必ずしも必要ではない。それにもかかわらず、この画像読取装置では、給送トレイを開かなければ、第２媒体を第２搬送路において搬送することができない。このため、この画像読取装置では、第２媒体の画像を読み取る場合に、給送トレイを開く手間が必要であり、利便性の向上が求められている。
【００１０】
本発明は、上記実情に鑑みてなされたものであって、利便性の向上を実現できる画像読取装置を提供することを目的とする。
【課題を解決するための手段】
【００１１】
本発明の画像読取装置は、第１媒体が導入されるように構成される第１導入口と、前記第１媒体が排出されるように構成される第１排出口と、前記第１導入口から前記第１排出口へ前記第１媒体を案内するように構成される第１搬送路と、前記第１媒体よりも幅狭の第２媒体が導入されるように構成される第２導入口と、前記第２媒体が排出されるように構成される第２排出口と、前記第２導入口から前記第２排出口へ前記第２媒体を案内するように構成される第２搬送路とが形成されている筐体と、
前記筐体に対して開位置と閉位置との間で変位可能に設けられ、前記開位置では前記第１媒体が前記第１導入口に導入可能に載置されるように構成され、前記閉位置では前記第１導入口を閉鎖し、かつ前記第２導入口及び前記第２排出口を閉鎖しないように構成される給送トレイと、
前記筐体内に設けられ、前記第２導入口に導入された前記第２媒体を前記第２搬送路において搬送するように構成される搬送部と、
前記筐体内に設けられ、前記第１搬送路において搬送される前記第１媒体の画像を読み取るように構成されているとともに、前記第２搬送路において搬送される前記第２媒体の画像を読み取るように構成される読取部と、
前記搬送部の駆動を制御するように構成される制御部とを備え、
前記給送トレイが前記閉位置にある状態で、前記搬送部に前記第２媒体を搬送させるように構成されていることを特徴とする。
【００１２】
本発明の画像読取装置では、給送トレイは、閉位置では第２導入口及び第２排出口を閉鎖しない。そして、給送トレイが閉位置にある状態で搬送部に第２媒体を搬送させる。これにより、搬送部は、閉位置にある給送トレイによって閉鎖されていない第２導入口に導入された第２媒体を第２搬送路において搬送する。そして、読取部は、第２搬送路において搬送される第２媒体の画像を読み取る。画像が読み取られた第２媒体は、閉位置にある給送トレイによって閉鎖されていない第２排出口から排出される。こうして、この画像読取装置では、第２媒体の画像を読み取る場合に、給送トレイを閉位置から開位置に変位させる手間が不要である。したがって、本発明の画像読取装置では、利便性の向上を実現できる。
【００１３】
本発明の画像読取装置は、給送トレイの筐体に対する位置を検知する位置検知部を備えていることが望ましい。そして、制御部は、位置検知部の検知結果に基づいて、搬送部の駆動を制御するように構成されていることが望ましい。また、例えば、制御部は、位置検知部の検知結果に基づいて、給送トレイが閉位置にあると判断する場合に、搬送部を駆動するように構成されていることが望ましい。この場合、この画像読取装置では、給送トレイが閉位置にある状態で、確実に第２媒体の画像を読み取ることができる。
【００１４】
本発明の画像読取装置は、第２導入口における第２媒体の有無を検知可能な媒体検知部を備えていることが望ましい。そして、制御部は、媒体検知部の検知結果に基づいて、搬送部を駆動するように構成されていることが望ましい。この場合、この画像読取装置では、第２導入口に第２媒体が導入されることにより、第２媒体の画像を読み取ることができる。このため、この画像読取装置では、第２媒体の搬送を開始する操作をユーザが行う必要がないので、利便性の一層の向上を実現できる。
【００１５】
制御部は、低消費電力状態に切り替えることが可能であることが望ましい。そして、制御部は、媒体検知部の検知結果に基づいて、第２導入口において第２媒体が存在すると判断する場合に、低消費電力状態を解除するように構成されていることが望ましい。この構成によれば、給送トレイが閉位置にある状態でも低消費電力状態を解除する操作をユーザが行う必要がないので、利便性の一層の向上を実現できる。
【００１６】
本発明の画像読取装置は、外部からの操作を受け付けるように構成される操作部を備えていることが望ましい。そして、制御部は、第２媒体の搬送開始指示の操作を操作部が受け付けた場合に、搬送部を駆動するように構成されていることが望ましい。この場合、この画像読取装置では、ユーザが操作部に対して操作を行うことにより、第２媒体の画像を読み取ることができるので、利便性の一層の向上を実現できる。
【００１７】
操作部は、筐体の一面に設けられていることが望ましい。そして、給送トレイは、閉位置で筐体の一面を覆うように構成されていることが望ましい。また、給送トレイには、閉位置で操作部を外部に露出させるように構成される操作開口が形成されていることが望ましい。この構成によれば、給送トレイが閉位置にある状態でも、筐体の一面に設けられた操作部を操作開口によって容易に操作できる。
【００１８】
給送トレイは、筐体に対して開位置と閉位置との間で回動軸心周りに回動可能に設けられていることが望ましい。第２導入口及び第２排出口の少なくとも一方である開口は、第２媒体の搬送方向において、読取部に対して回動軸心と反対側に位置していることが望ましい。給送トレイが閉位置にある状態では、給送トレイの先端縁側が開口に向かって延びていることが望ましい。そして、閉位置にある給送トレイの表面における回動軸心から先端縁までの距離は、筐体の表面における回動軸心から開口までの距離より小さいことが望ましい。この構成によれば、閉位置にある給送トレイの先端縁が第２導入口及び第２排出口の少なくとも一方である開口を閉鎖しない構成を確実に実現できる。
【００１９】
第１導入口及び第２導入口は、第２媒体の搬送方向において、読取部に対して同じ側に位置していることが望ましい。第１排出口及び第２排出口は、第２媒体の搬送方向において、読取部に対して第１導入口及び第２導入口と反対側に位置していることが望ましい。このような具体的構成によれば、本発明の作用効果を確実に奏することができる。
【００２０】
第１搬送路の一部は、第２搬送路の一部を兼ねていることが望ましい。この構成によれば、第１搬送路と第２搬送路とが別々に設けられている場合と比較して、製造コストの低廉化と、小型化とを実現できる。
【００２１】
本発明の画像読取装置は、第１媒体が導入されるように構成される第１導入口と、前記第１媒体が排出されるように構成される第１排出口と、前記第１導入口から前記第１排出口へ前記第１媒体を案内するように構成される第１搬送路と、前記第１媒体よりも幅狭の第２媒体が導入されるように構成される第２導入口と、前記第２媒体が排出されるように構成される第２排出口と、前記第２導入口から前記第２排出口へ前記第２媒体を案内するように構成される第２搬送路とが形成されている筐体と、
前記筐体に対して開位置と閉位置との間で変位可能に設けられ、前記開位置では前記第１媒体が前記第１導入口に導入可能に載置されるように構成され、前記閉位置では前記第１導入口を閉鎖し、かつ前記第２導入口及び前記第２排出口を閉鎖しないように構成される給送トレイと、
前記筐体内に設けられ、前記第２導入口に導入された前記第２媒体を前記第２搬送路において搬送するように構成される搬送部と、
前記筐体内に設けられ、前記第１搬送路において搬送される前記第１媒体の画像を読み取るように構成されているとともに、前記第２搬送路において搬送される前記第２媒体の画像を読み取るように構成される読取部と、
前記第２導入口における前記第２媒体の有無を検知可能な媒体検知部とを備え、
前記搬送部は、前記給送トレイが前記閉位置にある状態で、前記媒体検知部により前記第２導入口において前記第２媒体が検知される場合に、前記第２媒体を前記第２排出口に向けて搬送するように構成されていることを特徴とする。
【００２２】
本発明の画像読取装置では、給送トレイは、閉位置では第２導入口及び第２排出口を閉鎖しない。そして、搬送部は、給送トレイが閉位置にある状態で、媒体検知部により第２導入口において第２媒体が検知される場合に、第２媒体を第２排出口に向けて搬送する。そして、読取部は、第２搬送路において搬送される第２媒体の画像を読み取る。画像が読み取られた第２媒体は、閉位置にある給送トレイによって閉鎖されていない第２排出口から排出される。こうして、この画像読取装置では、第２媒体の画像を読み取る場合に、給送トレイを閉位置から開位置に変位させる手間が不要である。
【００２３】
本発明の画像読取装置は、第１媒体が導入されるように構成される第１導入口と、前記第１媒体が排出されるように構成される第１排出口と、前記第１導入口から前記第１排出口へ前記第１媒体を案内するように構成される第１搬送路と、前記第１媒体よりも幅狭の第２媒体が導入されるように構成される第２導入口と、前記第２媒体が排出されるように構成される第２排出口と、前記第２導入口から前記第２排出口へ前記第２媒体を案内するように構成される第２搬送路とが形成されている筐体と、
前記筐体に対して開位置と閉位置との間で変位可能に設けられ、前記開位置では前記第１媒体が前記第１導入口に導入可能に載置されるように構成され、前記閉位置では前記第１導入口を閉鎖し、かつ前記第２導入口及び前記第２排出口を閉鎖しないように構成される給送トレイと、
前記筐体内に設けられ、前記第２導入口に導入された前記第２媒体を前記第２搬送路において搬送するように構成される搬送部と、
前記筐体内に設けられ、前記第１搬送路において搬送される前記第１媒体の画像を読み取るように構成されているとともに、前記第２搬送路において搬送される前記第２媒体の画像を読み取るように構成される読取部と、
外部からの操作を受け付けるように構成される操作部とを備え、
前記搬送部は、前記給送トレイが前記閉位置にある状態で、前記操作部が前記操作を受け付けた場合に、前記第２導入口に導入された前記第２媒体を前記第２排出口に向けて搬送するように構成されていることを特徴とする。
【００２４】
本発明の画像読取装置では、給送トレイは、閉位置では第２導入口及び第２排出口を閉鎖しない。そして、搬送部は、給送トレイが閉位置にある状態で、操作部が操作を受け付けた場合に、第２導入口に導入された第２媒体を第２排出口に向けて搬送する。そして、読取部は、第２搬送路において搬送される第２媒体の画像を読み取る。画像が読み取られた第２媒体は、閉位置にある給送トレイによって閉鎖されていない第２排出口から排出される。こうして、この画像読取装置では、第２媒体の画像を読み取る場合に、給送トレイを閉位置から開位置に変位させる手間が不要である。
【００２５】
本発明の画像読取装置は、第１媒体が導入されるように構成される第１導入口と、前記第１媒体が排出されるように構成される第１排出口と、前記第１導入口から前記第１排出口へ前記第１媒体を案内するように構成される第１搬送路と、前記第１媒体よりも幅狭の第２媒体が導入されるように構成される第２導入口と、前記第２媒体が排出されるように構成される第２排出口と、前記第２導入口から前記第２排出口へ前記第２媒体を案内するように構成される第２搬送路とが形成されている筐体と、
前記筐体に対して開位置と閉位置との間で変位可能に設けられ、前記開位置では前記第１媒体が前記第１導入口に導入可能に載置されるように構成され、前記閉位置では前記第１導入口を閉鎖するように構成される給送トレイと、
前記筐体内に設けられ、前記第２導入口に導入された前記第２媒体を前記第２搬送路において搬送するように構成される搬送部と、
前記筐体内に設けられ、前記第１搬送路において搬送される前記第１媒体の画像を読み取るように構成されているとともに、前記第２搬送路において搬送される前記第２媒体の画像を読み取るように構成される読取部とを備え、
前記給送トレイは、前記筐体に対して前記開位置と前記閉位置との間で回動軸心周りに回動可能に設けられ、
前記第２導入口及び前記第２排出口の少なくとも一方である開口は、前記第２媒体の搬送方向において、前記読取部に対して前記回動軸心と反対側に位置し、
前記給送トレイが前記閉位置にある状態では、前記給送トレイの先端縁側が前記開口に向かって延び、
前記閉位置にある前記給送トレイの表面における前記回動軸心から前記先端縁までの距離は、前記筐体の表面における前記回動軸心から前記開口までの距離より小さいことを特徴とする。
【００２６】
本発明の画像読取装置では、給送トレイは、上記構成により、閉位置では第２導入口及び第２排出口を確実に閉鎖しない。そして、搬送部は、給送トレイが閉位置にある状態で、第２導入口に導入された第２媒体を第２排出口に向けて搬送する。そして、読取部は、第２搬送路において搬送される第２媒体の画像を読み取る。画像が読み取られた第２媒体は、閉位置にある給送トレイによって閉鎖されていない第２排出口から排出される。こうして、この画像読取装置では、第２媒体の画像を読み取る場合に、給送トレイを閉位置から開位置に変位させる手間が不要である。
【図面の簡単な説明】
【００２７】
【図１】本発明の画像読取装置を具体化した第１実施例の画像読取装置１の主に前方を示す斜視図である。
【図２】上記画像読取装置１の主に後方を示す斜視図である。
【図３】給送トレイ３６が開位置にある状態の上記画像読取装置１の主に前方を示す斜視図である。
【図４】上記画像読取装置１のブロック図である。
【図５】給送トレイ３６が開位置にある状態の上記画像読取装置１の上面図である。
【図６】図５のＡ−Ａ断面を示す模式断面図である。
【図７】図５のＢ−Ｂ断面であって、給送トレイ３６が閉位置にある状態を示す模式断面図である。
【図８】上記画像読取装置１が行うカードＣＡ及びシートＳＨの画像読取処理のフローチャートである。
【図９】第２実施例の画像読取装置が行うカードＣＡ及びシートＳＨの画像読取処理のフローチャートである。
【図１０】第３実施例の画像読取装置の主に前方を示す斜視図である。
【図１１】第３実施例の画像読取装置の主に後方を示す斜視図である。
【図１２】第４実施例の画像読取装置の主に後方を示す斜視図である。
【発明を実施するための形態】
【００２８】
以下、本発明を具体化した第１実施例〜第４実施例を図面を参照しつつ説明する。
【００２９】
（第１実施例）
図１に示すように、第１実施例の画像読取装置１は、本発明の画像読取装置の具体的態様の一例である。図１では、第１排出口１２側を装置の前側と規定し、第１排出口１２に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００３０】
＜構成＞
図１〜図７に示すように、画像読取装置１は、筐体３０と、給送トレイ３６と、電源ユニット５９と、制御基板５４と、搬送部４０と、読取部５５と、タッチパネル７０と、開閉位置センサ６０と、カードセンサ６２とを備えている。
【００３１】
図３、図６及び図７に示すように、筐体３０は、第１筐体３１と、第２筐体３２と、一対のサイドフレーム３３Ｌ、３３Ｒとが組み合わされてなる。
【００３２】
上側に位置する第１筐体３１と、下側に位置する第２筐体３２とは、上下方向の間隔を有して互いに対向している。左側のサイドフレーム３３Ｌ及び右側のサイドフレーム３３Ｒは、第１筐体３１及び第２筐体３２を左右方向の外側から挟んでいる。
【００３３】
第１筐体３１は、上面３１Ａ、前面３１Ｂ及び上側案内面３１Ｇ等を有する箱状体である。上面３１Ａは、上方を向く平面である。上面３１Ａは、後方に向かって上り傾斜している。上面３１Ａの中央には、タッチパネル７０が設けられている。上面３１Ａは、本発明の「筐体の一面」の一例である。前面３１Ｂは、前方を向く平面である。前面３１Ｂは、上面３１Ａの前端縁に連続し、下方に向かって垂直に延びている。上側案内面３１Ｇは、下方を向く屈曲平面である。上側案内面３１Ｇは、前面３１Ｂの下端縁３１ＢＡに連続し、後方に向かって水平に延びている。そして、上側案内面３１Ｇは、第１筐体３１における前後方向の中央において上向きに屈曲し、後方に向かって上り傾斜している。
【００３４】
第２筐体３２は、前面３２Ｂ、下側案内面３２Ｇ及び後面３２Ｃを有する箱状体である。前面３２Ｂは、前方を向く平面である。前面３２Ｂの上端縁３２ＢＡは、前面３１Ｂの下端縁３１ＢＡに対して、隙間を有して下側に離間している。前面３２Ｂは、下方に向かって垂直に延びている。下側案内面３２Ｇは、上方を向く屈曲平面である。下側案内面３２Ｇは、前面３２Ｂの上端縁３２ＢＡに連続し、後方に向かって水平に延びている。そして、下側案内面３２Ｇは、第２筐体３２における前後方向の中央において上向きに屈曲し、後方に向かって上り傾斜している。後面３２Ｃは、後方を向く平面である。後面３２Ｃは、下側案内面３２Ｇの後端縁に連続し、下方に向かって垂直に延びている。
【００３５】
図５及び図７に示すように、第２筐体３２は、下側カード案内面３２Ｉ及び上側カード案内面３２Ｈを有している。下側カード案内面３２Ｉは、下側案内面３２Ｇの水平部分における右端部に連続し、後方に向かって水平に延びて後面３２Ｃまで達している。上側カード案内面３２Ｈは、下側カード案内面３２Ｉに対して上方に離間している。上側カード案内面３２Ｈは、下側カード案内面３２Ｉと平行に、後方に向かって水平に延びて後面３２Ｃまで達している。図７に示すように、上側カード案内面３２Ｈの上下方向の高さは、上側案内面３１Ｇの水平部分の上下方向の高さとほぼ同じである。
【００３６】
図１〜図３及び図５〜図７に示すように、筐体３０には、第１導入口１１と、第１排出口１２と、第１搬送路１０と、第２導入口２１と、第２排出口２２と、第２搬送路２０とが形成されている。
【００３７】
図３、図６及び図７に示すように、第１導入口１１に、シートＳＨが導入される。シートＳＨは、例えば、用紙やＯＨＰシート等である。シートＳＨは、本発明の「第１媒体」の一例である。より詳しくは、第１導入口１１は、上側案内面３１Ｇの後端縁と、下側案内面３２Ｇの後端縁との隙間である。第１導入口１１は、左側のサイドフレーム３３Ｌの近傍から右側のサイドフレーム３３Ｒの近傍まで、左右方向に延びている。第１導入口１１の左右方向の長さは、シートＳＨの幅よりも長くされている。
【００３８】
第１排出口１２から、シートＳＨが排出される。より詳しくは、第１排出口１２は、前面３１Ｂの下端縁３１ＢＡと、前面３２Ｂの上端縁３２ＢＡとの隙間である。第１排出口１２は、左側のサイドフレーム３３Ｌの近傍から右側のサイドフレーム３３Ｒの近傍まで、左右方向に延びている。第１排出口１２の左右方向の長さは、第１導入口１１と同様、シートＳＨの幅よりも長くされている。
【００３９】
図６及び図７に示すように、第１搬送路１０は、第１導入口１１から第１排出口１２へシートＳＨを案内する。より詳しくは、第１搬送路１０は、上側案内面３１Ｇと下側案内面３２Ｇとに上下方向から挟まれてなる通路である。本開示において、「案内」とは、必ずしもシートＳＨが上側案内面３１Ｇ又は下側案内面３２Ｇに常に当接しながら搬送することを意味しない。従って、例えば、「案内」されるとは、シートＳＨが下側案内面３２Ｇに時折当接して搬送されることも含む記載である。第１搬送路１０は、第１導入口１１から前方に向かって下り傾斜している。そして、第１搬送路１０は、筐体３０における前後方向の中央において前向きに屈曲し、第１排出口１２まで水平に延びている。
【００４０】
図２、図５及び図７に示すように、第２導入口２１に、シートＳＨよりも幅狭のカードＣＡが導入される。カードＣＡは、シートＳＨより小面積の枚葉である。カードＣＡは、例えば、名刺、キャッシュカード、会員証又は免許証等である。カードＣＡが名刺等の紙製枚葉であれば、その肉厚はシートＳＨと同程度の厚さである。また、カードＣＡがキャッシュカード等の樹脂製枚葉であれば、その肉厚はシートＳＨより厚く、剛性が高い。カードＣＡは、本発明の「第２媒体」の一例である。より詳しくは、第２導入口２１は、後面３２Ｃにおける上下方向の中間部、かつ右側のサイドフレーム３３Ｒ側において前後方向に開口している。第２導入口２１は、左右方向に延びている。第２導入口２１の左右方向の長さは、カードＣＡの幅よりも長くされている。第２導入口２１の上下方向の高さは、第１搬送路１０の水平部分及び第１排出口１２の上下方向の高さとほぼ同じである。
【００４１】
図１、図３、図５及び図７に示すように、第２排出口２２から、カードＣＡが排出される。より詳しくは、第２排出口２２は、前面３１Ｂの下端縁３１ＢＡにおける右端部３１ＢＢと、前面３２Ｂの上端縁３２ＢＡにおける右端部３２ＢＢとの隙間である。図３に示すように、第２排出口２２は、右側のサイドフレーム３３Ｒの近傍から左方に向かって細長く延びている。第２排出口２２の左右方向の長さも、第２導入口２１と同様、カードＣＡの幅よりも長くされている。第２排出口２２は、第１排出口１２の右端側の一部と共用されている。
【００４２】
すなわち、第１排出口１２は、第２排出口２２の下部領域２２Ａを含む。従って、シートＳＨは、第２排出口２２の下部領域２２Ａを通過して、第２排出口２２の下部領域２２Ａから排出され得る。カードＣＡは、第２排出口２２の下部領域２２Ａから排出され、又は第２排出口２２の下部領域２２Ａ及び第２排出口２２の上部領域２２Ｂから排出され得る。このように、本開示において、「第１」排出口、及び「第２」排出口との記載は、第１排出口が第２排出口を含む場合も含む記載である。「第１」搬送路、及び「第２」搬送路との記載に関しても、同様に第１搬送路が第２搬送路を含む場合も含む記載である。「第１」導入口、及び「第２」導入口との記載に関しても、同様に第１導入口が第２導入口を含む場合も含む記載である。
【００４３】
第２排出口２２の上下方向の開口幅Ｗ２は、カードＣＡの厚みの範囲に対応して、第１排出口１２の上下方向の開口幅Ｗ１よりも大きくされている。
【００４４】
図５及び図７に示すように、第２搬送路２０内を、第２導入口２１から第２排出口２２へカードＣＡが案内される。より詳しくは、第２搬送路２０は、上側カード案内面３２Ｈと、下側カード案内面３２Ｉと、上側案内面３１Ｇの水平部分と、下側案内面３２Ｇの水平部分とに上下方向から挟まれてなる通路である。第２搬送路２０は、後方の第２導入口２１から前方の第２排出口２２まで水平に延びている。つまり、第１搬送路１０の一部は、第２搬送路２０の一部を兼ねている。
【００４５】
図１等に示すように、給送トレイ３６は、第１トレイ３７と、第２トレイ３８とを有している。
【００４６】
第１トレイ３７は平板形状である。図３及び図５に示すように、第１トレイ３７の左右の角部には、一対のヒンジ部３７Ｌ、３７Ｒが一体に形成されている。第１トレイ３７の中央には、矩形状に開口する操作開口３９が形成されている。第１トレイ３７は、両ヒンジ部３７Ｌ、３７Ｒを介して、回動軸心Ｘ１周りに回動可能に両サイドフレーム３３Ｌ、３３Ｒに支持されている。回動軸心Ｘ１は、サイドフレーム３３Ｌ、３３Ｒの後側上端部に位置して左右方向に延びている。
【００４７】
第２トレイ３８は、左右方向に細長い平板形状である。第２トレイ３８は、第１トレイ３７における両ヒンジ部３７Ｌ、３７Ｒとは反対側の左右の角部に連結されている。これにより、第２トレイ３８は、左右方向に延びる回動軸心Ｘ２周りに第１トレイ３７に支持されている。
【００４８】
図１、図２及び図７に示すように、第１トレイ３７が閉じた状態では、第１導入口１１を閉鎖し、第１筐体３１の上面３１Ａを上方から覆っている。図１、図２及び図７に示す給送トレイ３６の位置を「閉位置」とする。給送トレイ３６が閉位置にある場合、第１トレイ３７は、回動軸心Ｘ１から前方に向かって下り傾斜するように位置している。給送トレイ３６が閉位置にある場合、第２トレイ３８は、回動軸心Ｘ２から下方に垂直に延びて、第１筐体３１の前面３１Ｂを前方から覆っている。図１に示すように、操作開口３９は、給送トレイ３６が閉位置にある状態でタッチパネル７０を外部に露出させている。
【００４９】
そして、図３、図５及び図６に示すように、第１トレイ３７が図１等に示す状態から回動軸心Ｘ１周りに後方に回動して開かれる。第２トレイ３８が図１等に示す状態から回動軸心Ｘ２周りに後方に回動して開かれる。これらの回動により、図３、図５及び図６に示すように、第１トレイ３７及び第２トレイ３８が筐体３０の後ろ側で後方に向かって上り傾斜する位置に変位する。図３、図５及び図６に示す給送トレイ３６の位置を「開位置」とする。
【００５０】
図１及び図７に示すように、給送トレイ３６が閉位置にある状態では、給送トレイ３６の先端縁３６Ｅ側が第１排出口１２及び第２排出口２２に向かって延びている。給送トレイ３６の先端縁３６Ｅ側とは、第２トレイ３８の先端縁側のことである。第２排出口２２は、本発明の「第２導入口及び第２排出口の少なくとも一方である開口」の一例である。
【００５１】
図１に示すように、閉位置にある給送トレイ３６の表面３６Ｓにおける回動軸心Ｘ１から先端縁３６Ｅまでの距離Ｌ１は、回動軸心Ｘ１から第１トレイ３７の先端縁までの距離Ｌ１１と、第１トレイ３７の先端縁から第２トレイ３８の先端縁までの距離Ｌ１２との合計値である。給送トレイ３６の表面３６Ｓとは、第１トレイ３７の表面及び第２トレイ３８の表面のことである。図３に示すように、筐体３０の表面３０Ｓにおける回動軸心Ｘ１から第２排出口２２までの距離Ｌ２は、回動軸心Ｘ１から第１筐体３１の上面３１Ａの先端縁までの距離Ｌ２１と、上面３１Ａの先端縁から第２排出口２２を形成する前面３２Ｂの上端縁３２ＢＡにおける右端部３２ＢＢまでの距離Ｌ２２との合計値である。筐体３０の表面３０Ｓとは、第１筐体３１の上面３１Ａ及び前面３１Ｂのことである。
【００５２】
閉位置にある給送トレイ３６の表面３６Ｓにおける回動軸心Ｘ１から先端縁３６Ｅまでの距離Ｌ１は、筐体３０の表面３０Ｓにおける回動軸心Ｘ１から第２排出口２２までの距離Ｌ２より小さい。これにより、図１、図２及び図７に示すように、給送トレイ３６は、閉位置では第１導入口１１を閉鎖し、かつ第２導入口２１及び第２排出口２２を閉鎖しない。
【００５３】
また、図３及び図６に示すように、給送トレイ３６は、開位置では下側案内面３２Ｇの傾斜部分に連続するように傾斜し、第１導入口１１に開放している。給送トレイ３６には、１枚又は複数枚のシートＳＨが載置される。図示は省略するが、給送トレイ３６は、左右一対のガイド部を有している。ガイド部は、給送トレイ３６に載置されるシートＳＨを左右方向の外側から挟んで左右方向の位置決めを行う。給送トレイ３６に載置されたシートＳＨは、第１導入口１１に導入され、第１搬送路１０において第１排出口１２へ案内される。
【００５４】
図４、図６及び図７に示すように、電力が、図示しない家庭用コンセントからＡＣアダプタ５９及び制御基板５４を経由して、搬送部４０、読取部５５、タッチパネル７０、開閉位置センサ６０、シートセンサ６１及びカードセンサ６２等へ供給される。
【００５５】
制御基板５４は、ＣＰＵ、ＲＯＭ及びＲＡＭ等を備えている。制御基板５４は、本発明の「制御部」の一例である。図４に示すように、制御基板５４は、搬送部４０、読取部５５、タッチパネル７０、開閉位置センサ６０、シートセンサ６１及びカードセンサ６２等に電気的に接続されて、それらを制御する。
【００５６】
図５〜図７に示すように、搬送部４０は、供給ローラ４１、分離パッド４９、搬送ローラ４２Ａ、４２Ｂ、４２Ｃ、従動ローラ４３Ａ、４３Ｂ、４３Ｃ、排出ローラ４４Ａ、４４Ｂ、４４Ｃ及び従動ローラ４５Ａ、４５Ｂ、４５Ｃを有している。読取部５５は、画像読取センサ５５Ａ、５５Ｂを有している。これらは、第１搬送路１０において、第１導入口１１から第１排出口１２に向かって、供給ローラ４１及び分離パッド４９〜搬送ローラ４２Ａ、４２Ｂ、４２Ｃ及び従動ローラ４３Ａ、４３Ｂ、４３Ｃ〜画像読取センサ５５Ａ、５５Ｂ〜排出ローラ４４Ａ、４４Ｂ、４４Ｃ及び従動ローラ４５Ａ、４５Ｂ、４５Ｃという順番で配設されている。以下、この順番で、これらの構成を説明する。
【００５７】
供給ローラ４１は、第２筐体３２内に回転可能に支持されている。供給ローラ４１の上部は、下側案内面３２Ｇの傾斜部分から第１搬送路１０に露出している。供給ローラ４１は、制御基板５４が図４に示す駆動モータ４０Ｍを制御することにより駆動モータ４０Ｍに駆動される。そして、供給ローラ４１は、給送トレイ３６に載置されたシートＳＨに当接しつつ回転することにより、そのシートＳＨを第１搬送路１０において第１導入口１１から第１排出口１２に向かって搬送する。
【００５８】
分離パッド４９は、第１筐体３１に組み付けられている。分離パッド４９は、上側案内面３１Ｇにおいて第１搬送路１０に露出している。分離パッド４９は、ゴムやエラストマー等の摩擦部材からなる板状体である。分離パッド４９は、図示しない付勢部材に付勢されて、供給ローラ４１に押し付けられている。これにより、分離パッド４９は、第１搬送路１０において搬送されるシートＳＨを供給ローラ４１と挟んで一枚ずつ分離し得る。
【００５９】
図５〜図７に示すように、搬送ローラ４２Ａ、４２Ｂ、４２Ｃは、１本の回転軸４２Ｓにより第２筐体３２内に回転可能に支持されている。搬送ローラ４２Ａ、４２Ｂ、４２Ｃの上部は、下側案内面３２Ｇの傾斜部分と水平部分との接続部から第１搬送路１０に露出している。搬送ローラ４２Ａ、４２Ｂ、４２Ｃは、制御基板５４が駆動モータ４０Ｍを制御することにより駆動モータ４０Ｍに駆動されて、供給ローラ４１と同期回転する。従動ローラ４３Ａ、４３Ｂ、４３Ｃは、１本の回転軸４３Ｓにより第１筐体３１内に回転可能に支持されている。従動ローラ４３Ａ、４３Ｂ、４３Ｃの下部は、上側案内面３１Ｇの傾斜部分と水平部分との接続部から第１搬送路１０に露出している。従動ローラ４３Ａ、４３Ｂ、４３Ｃは、図示しない付勢部材に付勢されて、搬送ローラ４２Ａ、４２Ｂ、４２Ｃに押し付けられている。これにより、搬送ローラ４２Ａ、４２Ｂ、４２Ｃは、第１搬送路１０において搬送されるシートＳＨを従動ローラ４３Ａ、４３Ｂ、４３Ｃと挟んで回転し、シートＳＨを第１排出口１２へ搬送する。
【００６０】
第１搬送路１０の一部が第２搬送路２０の一部を兼ねていることにより、図５及び図７に示すように、右側の搬送ローラ４２Ｃ及び右側の従動ローラ４３Ｃは、第２搬送路２０にも露出している。これにより、搬送ローラ４２Ｃは、第２導入口２１から導入されるカードＣＡを第２搬送路２０において従動ローラ４３Ｃと挟んで回転し、カードＣＡを第２排出口２２へ搬送する。
【００６１】
図５〜図７に示すように、画像読取センサ５５Ａは、第２筐体３２に組み付けられている。画像読取センサ５５Ａの上面は、下側案内面３２Ｇの水平部分において第１搬送路１０に露出している。画像読取センサ５５Ｂは、第１筐体３１に組み付けられている。画像読取センサ５５Ｂの下面は、上側案内面３１Ｇの水平部分において第１搬送路１０に露出している。すなわち、画像読取センサ５５Ａ、５５Ｂは、第１搬送路１０を上下方向から挟むように対向している。また、第１搬送路１０の一部が第２搬送路２０の一部を兼ねていることにより、図５及び図７に示すように、画像読取センサ５５Ａ、５５Ｂは、第２搬送路２０を上下方向から挟むように対向している。なお、本開示において、「対向」とは必ずしも真対向を意味せず、例えば、シートＳＨの搬送方向において、画像読取センサ５５Ａの一部が画像読取センサ５５Ｂに対してずれていてもよい。画像読取センサ５５Ａ、５５Ｂとしては、例えば、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等が採用される。
【００６２】
排出ローラ４４Ａ、４４Ｂ、４４Ｃは、１本の回転軸４４Ｓにより第２筐体３２内に回転可能に支持されている。排出ローラ４４Ａ、４４Ｂ、４４Ｃの上部は、下側案内面３２Ｇの水平部分から第１搬送路１０に露出している。排出ローラ４４Ａ、４４Ｂ、４４Ｃは、制御基板５４が駆動モータ４０Ｍを制御することにより駆動モータ４０Ｍに駆動されて、供給ローラ４１及び搬送ローラ４２Ａ、４２Ｂ、４２Ｃと同期回転する。従動ローラ４５Ａ、４５Ｂ、４５Ｃは、１本の回転軸４５Ｓにより第１筐体３１内に回転可能に支持されている。従動ローラ４５Ａ、４５Ｂ、４５Ｃの下部は、上側案内面３１Ｇの水平部分から第１搬送路１０に露出している。従動ローラ４５Ａ、４５Ｂ、４５Ｃは、図示しない付勢部材に付勢されて、排出ローラ４４Ａ、４４Ｂ、４４Ｃに押し付けられている。これにより、排出ローラ４４Ａ、４４Ｂ、４４Ｃは、第１搬送路１０において搬送されるシートＳＨを従動ローラ４５Ａ、４５Ｂ、４５Ｃと挟んで回転し、シートＳＨを第１排出口１２から筐体３０の外部に排出する。
【００６３】
第１搬送路１０の一部が第２搬送路２０の一部を兼ねていることにより、図５及び図７に示すように、右側の排出ローラ４４Ｃ及び右側の従動ローラ４５Ｃは、第２搬送路２０にも露出している。これにより、排出ローラ４４Ｃは、第２搬送路２０において搬送ローラ４２Ｃ及び従動ローラ４３Ｃに搬送されるカードＣＡを従動ローラ４５Ｃと挟んで回転し、カードＣＡを第２排出口２２から筐体３０の外部に排出する。
【００６４】
図３及び図６等に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。タッチパネル７０は、本発明の「操作部」の一例である。
【００６５】
タッチパネル７０は、外部に報知する。具体的には、タッチパネル７０は、制御基板５４に制御されて、画像読取動作の処理状況やエラー状況等である画像読取装置１の稼働状況等を表示する。また、タッチパネル７０は、外部からの操作を受け付ける。具体的には、タッチパネル７０は、図１に示す「ＳＴＡＲＴ」ボタンＢ１のような各種のボタンを表示する。そして、ユーザがいずれかのボタンに対応する処理の実行指示や設定入力を行うために、タッチパネル７０に触れると、タッチパネル７０は、その操作を受け付けて、制御基板５４に伝達する。
【００６６】
図１及び図３等に示すように、開閉位置センサ６０は、給送トレイ３６の筐体３０に対する位置を検知するものである。より詳しくは、開閉位置センサ６０は、右側のサイドフレーム３３Ｒの後側上端部に設けられて、右側のヒンジ部３７Ｒに隣接している。開閉位置センサ６０は、マイクロスイッチやロータリースイッチ等からなり、給送トレイ３６の回動軸心Ｘ１周りの回動によって断接する。開閉位置センサ６０は、給送トレイ３６が閉位置にあることを検知し、その旨の検知信号を制御基板５４に伝達する。また、開閉位置センサ６０は、給送トレイ３６が開位置にあることを検知し、その旨の検知信号を制御基板５４に伝達する。開閉位置センサ６０は、本発明の「位置検知部」の一例である。
【００６７】
図２、図５及び図７に示すように、シートセンサ６１は、第１導入口１１におけるシートＳＨの有無を検知可能である。より詳しくは、シートセンサ６１は、第１筐体３１内に設けられている。シートセンサ６１は、上側案内面３１Ｇにおける分離パッド４９の周辺に位置している。シートセンサ６１は、物体の接近又は離間を検知する光学式近接センサや超音波式近接センサ等からなる。シートセンサ６１は、第１導入口１１においてシートＳＨが存在するか否かに対応して２通りの検出信号を制御基板５４に伝達する。
【００６８】
カードセンサ６２は、第２導入口２１におけるカードＣＡの有無を検知可能である。より詳しくは、カードセンサ６２は、第２筐体３２内に設けられている。カードセンサ６２は、下側カード案内面３２Ｉの後端縁側において第２搬送路２０に露出している。カードセンサ６２は、物体の接近又は離間を検知する光学式近接センサや超音波式近接センサ等からなる。カードセンサ６２は、第２導入口２１においてカードＣＡが存在するか否かに対応して２通りの検出信号を制御基板５４に伝達する。カードセンサ６２は、本発明の「媒体検知部」の一例である。
【００６９】
第１導入口１１及び第２導入口２１は、カードＣＡが第２導入口２１から第２排出口２へ搬送される搬送方向である後方から前方に向かう方向において、読取部５５に対して同じ側、すなわち、読取部５５に対して後側に位置している。
【００７０】
第１排出口１２及び第２排出口２２は、カードＣＡの搬送方向である後方から前方に向かう方向において、読取部５５に対して第１導入口１１及び第２導入口２１と反対側、すなわち、読取部５５に対して前側に位置している。
【００７１】
第２排出口２２は、カードＣＡの搬送方向である後方から前方に向かう方向において、読取部５５に対して回動軸心Ｘ１と反対側、すなわち、読取部５５に対して前側に位置している。
【００７２】
制御基板５４は、画像読取装置１の電源がＯＮされている状態において、例えば、待機状態が長時間継続するような場合、画像読取装置１を低消費電力状態に切り替えることが可能である。低消費電力状態とは、一般的にスリープ状態と呼称される状態である。低消費電力状態が解除されると、待機状態に移行する。待機状態が解除されるとシートＳＨ又はカードＣＡを搬送し、シートＳＨ又はカードＣＡの画像を読み取る読取モードに移行する。低消費電力状態とは、待機状態及び読取モードよりも消費電力が低い状態である。なお、待機状態とは、読取モードよりも消費電力が低い状態である。
【００７３】
＜カード及びシートの画像読取動作＞
この画像読取装置１では、以下のようにして、カードＣＡ及びシートＳＨの画像が読み取られる。カードＣＡの画像が読み取られる場合、ユーザにより、給送トレイ３６が閉位置にあれば閉位置が維持され、給送トレイ３６が開位置にあれば閉位置に変位される。そして、図２に示すように、ユーザにより、カードＣＡが筐体３０の後方から第２導入口２２に差し込まれ、第２搬送路２０に導入される。一方、シートＳＨの画像が読み取られる場合、図３及び図６に示すように、ユーザにより、給送トレイ３６が閉位置から開位置に変位され、給送トレイ３６にシートＳＨが載置される。
【００７４】
制御基板５４の主にＣＰＵは、電源ＯＮ状態において、図８に示すフローチャートを繰り返し実行している。以下、ＣＰＵが各ステップにおいて行う処理について順次説明する。
【００７５】
まず、ステップＳ１０１において、給送トレイ３６が開位置にあることを開閉位置センサ６０が検知する場合、すなわち、「Ｙｅｓ」の場合、ＣＰＵは、ステップＳ１０８に移行する。
【００７６】
一方、ステップＳ１０１において、給送トレイ３６が開位置にない、すなわち、給送トレイ３６が閉位置にあることを開閉位置センサ６０が検知する場合、すなわち、「Ｎｏ」の場合、ＣＰＵは、ステップＳ１０２に移行する。ステップＳ１０２に移行すると、ＣＰＵは、カードセンサ６２の検知結果を取得する。
【００７７】
次に、ステップＳ１０３において、第２導入口２１においてカードＣＡが存在することをカードセンサ６２が検知する場合、すなわち、「Ｙｅｓ」の場合、ＣＰＵは、ステップＳ１０４に移行する。その一方、第２導入口２１においてカードＣＡが存在しないことをカードセンサ６２が検知する場合、すなわち、「Ｎｏ」の場合、ＣＰＵは、ステップＳ１０３に戻る。
【００７８】
次に、ステップＳ１０４において、画像読取装置１が低消費電力状態である場合、すなわち、「Ｙｅｓ」の場合、ＣＰＵは、ステップＳ１０５に移行する。そして、ステップＳ１０５において、ＣＰＵは、画像読取装置１の低消費電力状態を解除し、待機状態に移行した後、ステップＳ１０６に移行する。
【００７９】
一方、ステップＳ１０４において、画像読取装置１が低消費電力状態でない場合、すなわち、「Ｎｏ」の場合、ＣＰＵは、ステップＳ１０６に移行する。
【００８０】
ステップＳ１０４又はステップＳ１０５からステップＳ１０６に移行すると、ＣＰＵは、タッチパネル７０からカードＣＡの読取指示があったか否かを判断する。タッチパネル７０のカード読取指示は、図１に示すようなタッチパネル７０に表示されたカード読取「ＳＴＡＲＴ」ボタンＢ１が押されることにより生成され、制御基板５４に送られる。ステップＳ１０６において、カード読取指示があったと判断する場合、すなわち、「Ｙｅｓ」の場合、ＣＰＵは、ステップＳ１０７に移行する。その一方、ステップＳ１０６において、カード読取指示がなかったと判断する場合、すなわち、「Ｎｏ」の場合、ＣＰＵは、ステップＳ１０６に戻る。
【００８１】
ステップＳ１０７に移行すると、ＣＰＵは、搬送部４０の駆動モータ４０Ｍを駆動する制御を行う。そうすると、搬送部４０のうち、搬送ローラ４２Ｃ及び従動ローラ４３Ｃと、排出ローラ４４Ｃ及び従動ローラ４５Ｃとが第２導入口２１から導入されるカードＣＡを第２搬送路２０において搬送する。第２搬送路２０において搬送されるカードＣＡの両面の画像が画像読取センサ５５Ａ、５５Ｂにより読み取られる。画像が読み取られたカードＣＡは、図１に示すように、排出ローラ４４Ｃ及び従動ローラ４５Ｃにより第２排出口２２から筐体３０の外部に排出される。こうして、図８に示すフローチャートが終了し、スタートに戻る。
【００８２】
ステップＳ１０１からステップＳ１０８に移行すると、画像読取装置１が低消費電力状態である場合、すなわち、「Ｙｅｓ」の場合、ＣＰＵは、ステップＳ１０９に移行する。そして、ステップＳ１０９において、ＣＰＵは、画像読取装置１の低消費電力状態を解除し、待機状態に移行した後、ステップＳ１１０に移行する。
【００８３】
一方、ステップＳ１０８において、画像読取装置１が低消費電力状態でない場合、すなわち、「Ｎｏ」の場合、ＣＰＵは、ステップＳ１１０に移行する。
【００８４】
ステップＳ１０８又はステップＳ１０９からステップＳ１１０に移行すると、ＣＰＵは、ＣＰＵは、シートセンサ６１の検知結果を取得する。
【００８５】
次に、ステップＳ１１１において、第１導入口１１においてシートＳＨが存在することをシートセンサ６１が検知するか否かを判断する。
【００８６】
ステップＳ１１１において、第１導入口１１においてシートＳＨが存在することをシートセンサ６１が検知する場合、すなわち、「Ｙｅｓ」の場合、ＣＰＵは、ステップＳ１１２に移行する。その一方、第１導入口１１においてシートＳＨが存在しないことをシートセンサ６１が検知する場合、すなわち、「Ｎｏ」の場合、ＣＰＵは、ステップＳ１１１に戻る。
【００８７】
ステップＳ１１２に移行すると、ＣＰＵは、タッチパネル７０からシートＳＨの読取指示があったか否かを判断する。タッチパネル７０のシート読取指示は、タッチパネル７０に表示されたシート読取「ＳＴＡＲＴ」ボタンが押されることにより生成され、制御基板５４に送られる。図示は省略するが、シート読取「ＳＴＡＲＴ」ボタンは、図１に示すカード読取「ＳＴＡＲＴ」ボタンＢ１と同様の表示である。ステップＳ１１２において、ＣＰＵは、シートＳＨの読取指示があったと判断する場合、すなわち、「Ｙｅｓ」の場合、ステップＳ１１３に移行する。その一方、ＣＰＵは、シートＳＨの読取指示がなかったと判断する場合、すなわち、「Ｎｏ」の場合、ステップＳ１１２に戻る。
【００８８】
ステップＳ１１３に移行すると、ＣＰＵは、搬送部４０の駆動モータ４０Ｍを駆動する制御を行う。そうすると、まず、供給ローラ４１が分離パッド４９とシートＳＨを挟みながら回転する。供給ローラ４１は、給送トレイ３６上のシートＳＨを第１導入口１１から導入し、シートＳＨを第１搬送路１０において第１排出口１２へ搬送する。この際、複数枚のシートＳＨが重なった状態で搬送されようとしている場合、分離パッド４９とシートＳＨとの間の摩擦力などにより、シートＳＨが一枚ずつ分離され得る。
【００８９】
次に、搬送部４０の、搬送ローラ４２Ａ、４２Ｂ、４２Ｃ及び従動ローラ４３Ａ、４３Ｂ、４３Ｃと、排出ローラ４４Ａ、４４Ｂ、４４Ｃ及び従動ローラ４５Ａ、４５Ｂ、４５Ｃとが第１導入口１１から導入されるシートＳＨを第１搬送路１０において搬送する。第１搬送路１０において搬送されるシートＳＨの両面の画像が画像読取センサ５５Ａ、５５Ｂにより読み取られる。画像が読み取られたシートＳＨは、排出ローラ４４Ａ、４４Ｂ、４４Ｃ及び従動ローラ４５Ａ、４５Ｂ、４５Ｃにより第１排出口１２から筐体３０の外部に排出される。こうして、図８に示すフローチャートが終了し、スタートに戻る。
【００９０】
＜作用効果＞
第１実施例の画像読取装置１では、給送トレイ３６は、図１、図２及び図７に示すように、閉位置では第２導入口２１及び第２排出口２２を閉鎖しない。そして、給送トレイ３６が閉位置にある状態で搬送部４０にカードＣＡを搬送させる。これにより、搬送部４０のうち、搬送ローラ４２Ｃ及び従動ローラ４３Ｃと、排出ローラ４４Ｃ及び従動ローラ４５Ｃとは、閉位置にある給送トレイ３６によって閉鎖されていない第２導入口２１に導入されたカードＣＡを第２搬送路２０において搬送する。そして、読取部５５の画像読取センサ５５Ａ、５５Ｂは、第２搬送路２０において搬送されるカードＣＡの両面の画像を読み取る。画像が読み取られたカードＣＡは、閉位置にある給送トレイ３６によって閉鎖されていない第２排出口２２から排出される。こうして、この画像読取装置１では、カードＣＡの画像を読み取る場合に、給送トレイ３６を閉位置から開位置に変位させる手間が不要である。
【００９１】
したがって、第１実施例の画像読取装置１では、利便性の向上を実現できる。また、この画像読取装置１では、ユーザがカードＣＡの第２導入口２１への導入、又はカードＣＡの第２排出口２２からの取り出しを行う際などに、閉位置にある給送トレイ３６が邪魔にならない。さらに、この画像読取装置１では、カードＣＡの画像を読み取る際の占有スペースを給送トレイ３６を閉じた分だけ小さくできる。
【００９２】
また、この画像読取装置１では、制御基板５４は、開閉位置センサ６０の検知結果に基づいて、搬送部４０の駆動を制御する。これにより、この画像読取装置１では、給送トレイ３６が閉位置にある状態で、確実にカードＣＡの画像を読み取ることができる。
【００９３】
さらに、この画像読取装置１では、制御基板５４は、図８のステップＳ１０２〜ステップＳ１０５により、カードセンサ６２の検知結果に基づいて、第２導入口２１においてカードＣＡが存在すると判断する場合に、低消費電力状態を解除する。これにより、この画像読取装置１では、給送トレイ３６が閉位置にある状態でも低消費電力状態を解除する操作をユーザが行う必要がないので、利便性の一層の向上を実現できる。
【００９４】
さらに、この画像読取装置１では、制御基板５４は、タッチパネル７０からカードＣＡの読取指示があった場合に、搬送部４０を駆動する。これにより、この画像読取装置１では、ユーザがタッチパネル７０に表示されたカード読取「ＳＴＡＲＴ」ボタンＢ１に触れることにより、カードＣＡの画像を読み取ることができるので、利便性の一層の向上を実現できる。
【００９５】
また、この画像読取装置１では、給送トレイ３６が閉位置にある状態で、操作開口３９により、筐体３０の上面３１Ａに設けられたタッチパネル７０が外部に露出している。これにより、この画像読取装置１では、給送トレイ３６が閉位置にある状態でも、タッチパネル７０を容易に操作できる。
【００９６】
さらに、この画像読取装置１では、閉位置にある給送トレイ３６の表面３６Ｓにおける回動軸心Ｘ１から先端縁３６Ｅまでの距離Ｌ１は、筐体３０の表面３０Ｓにおける回動軸心Ｘ１から開口までの距離Ｌ２より小さい。これにより、この画像読取装置１では、閉位置にある給送トレイ３６の先端縁３６Ｅが第２排出口２２を閉鎖しない構成を確実に実現できる。
【００９７】
また、この画像読取装置１では、第１導入口１１及び第２導入口２１は、カードＣＡの搬送方向において、読取部５５に対して同じ側、すなわち、読取部５５に対して後側に位置している。第１排出口１２及び第２排出口２２は、カードＣＡの搬送方向において、読取部５５に対して第１導入口１１及び第２導入口２１と反対側、すなわち、読取部５５に対して前側に位置している。このような具体的構成により、この画像読取装置１では、本発明の作用効果を確実に奏することができる。
【００９８】
さらに、この画像読取装置１では、第１搬送路１０の一部は、第２搬送路２０の一部を兼ねている。これにより、この画像読取装置１では、第１搬送路と第２搬送路とが別々に設けられている場合と比較して、製造コストの低廉化と、小型化とを実現できる。
【００９９】
また、この画像読取装置１では、図８に示すフローチャートを実行する場合、搬送部４０は、給送トレイ３６が閉位置にある状態で、カードセンサ６２により第２導入口２１においてカードＣＡが検知される場合に、カードＣＡを第２排出口２２に向けて搬送する。これにより、この画像読取装置１では、カードＣＡの画像を読み取る場合に、給送トレイ３６を閉位置から開位置に変位させる手間が不要である。
【０１００】
さらに、この画像読取装置１では、図８に示すフローチャートを実行する場合、搬送部４０は、給送トレイ３６が閉位置にある状態で、タッチパネル７０が操作を受け付けた場合に、第２導入口２１に導入されたカードＣＡを第２排出口２２に向けて搬送する。これにより、この画像読取装置１では、カードＣＡの画像を読み取る場合に、給送トレイ３６を閉位置から開位置に変位させる手間が不要である。
【０１０１】
（第２実施例）
第２実施例の画像読取装置は、第１実施例の画像読取装置における図８に示すフローチャートを実行する代わりに、図９に示すフローチャートを実行する。第２実施例のその他の構成は第１実施例と同一である。
【０１０２】
図９に示すフローチャートでは、図８に示すフローチャートのステップＳ１０６を削除している。すなわち、ステップＳ１０１において給送トレイ３６が開位置にない、すなわち給送トレイ３６が閉位置にあると判断され、ステップＳ１０３において第２導入口２１にカードＣＡが存在すると判断されると、タッチパネル７０からのカードＣＡの読取指示がなくとも、ステップＳ１０７においてカードＣＡの画像の読取が実行される。その他の各ステップでの処理は上述した通りである。
【０１０３】
上記第２実施例の画像読取装置も、第１実施例の画像読取装置１と同様の作用効果を奏することができる。
【０１０４】
また、第２実施例の画像読取装置では、タッチパネル７０からカードＣＡの読取指示があったか否かにかかわらず、第２導入口２１にカードＣＡが導入されることにより搬送部４０を駆動し、カードＣＡの画像を読み取る。このため、この画像読取装置１では、カードＣＡの搬送を開始する操作をユーザが行う必要がないので、利便性の一層の向上を実現できる。
【０１０５】
（第３実施例）
図１０及び図１１に示すように、第３実施例の画像読取装置では、第１実施例の画像読取装置１における第２排出口２２を第２導入排出口４２１に変更し、第１実施例の画像読取装置１における第２導入口２１を中間排出口４２２に変更している。また、第１実施例の画像読取装置１における第２トレイ３８を第２トレイ４３８に変更している。第３実施例のその他の構成は第１実施例と同一である。このため、実施例１と同一の構成については、同一の符号を付して説明を省略又は簡略する。
【０１０６】
第２導入排出口４２１は、第１実施例の第２排出口２２と同一形状である。第２導入排出口４２１は、第１排出口１２の右端側の一部と共用されている。中間排出口４２２は、第１実施例の第２導入口２１と同一形状である。
【０１０７】
第２トレイ４３８は、第１実施例の第２トレイ３８と同様、給送トレイ３６が閉位置にある状態で、第１排出口１２の右端側の一部と共用されている第２導入排出口４２１を覆ってはいない。しかしながら、第２トレイ４３８は、給送トレイ３６が閉位置にある状態で、第１排出口１２の左側部分を前方から覆っている。第２トレイ４３８の右側部分には開口４３８Ｈが形成されている。開口４３８Ｈは、給送トレイ３６が閉位置にある状態で、前後方向において第２導入排出口４２１と重複する。これにより、給送トレイ３６が閉位置にある状態でカードＣＡの読取を行えることがユーザにとって分かりやすくなる。また、第２トレイ４３８は、給送トレイ３６が閉位置にある状態で、第１排出口１２の左側部分を前後方向においてカバーできるため、第１排出口１２の左側部分から筐体３０の内部に異物が侵入することを抑制できる。
【０１０８】
第２導入排出口４２１に、カードＣＡが導入される。搬送部４０は、第２搬送路２０においてカードＣＡを後方に搬送する。この後方へのカードＣＡの搬送は、制御基板５４のＣＰＵが、搬送部４０を第１実施例における搬送部４０の回転方向と反対方向に逆送させることにより実行される。そして、カードＣＡは、中間排出口４２２から筐体３０の外部に自己の一部が排出される。つまり、カードＣＡは、搬送部４０によって頭出し位置に達するまで後方に搬送される。次に、搬送部４０は、第２搬送路２０においてカードＣＡを前方に搬送する。この際、画像読取センサ５５Ａ、５５Ｂにより画像を読み取られた後、カードＣＡは、第２導入排出口４２１から筐体３０の外部に排出される。
【０１０９】
上記第３実施例の画像読取装置も、第１実施例の画像読取装置１と同様の作用効果を奏することができる。
【０１１０】
（第４実施例）
図１２に示すように、第４実施例の画像読取装置では、第１実施例の画像読取装置１における第２排出口２２をカードＣＡが導入される第２導入口に変更し、第１実施例の画像読取装置１における第２導入口２１をカードＣＡが排出される第２排出口５２２に変更している。第４実施例のその他の構成は第１実施例と同一である。このため、実施例１と同一の構成については、同一の符号を付して説明を省略又は簡略する。
【０１１１】
第４実施例の第２導入口は、第３実施例の第２導入排出口４２１と同様に、第１実施例の第２排出口２２と同一形状である。このため、図示は省略する。第２排出口５２２は、第１実施例の第２導入口２１と同一形状である。
【０１１２】
第２導入口に、カードＣＡが導入される。搬送部４０は、第２搬送路２０においてカードＣＡを後方に搬送する。そして、カードＣＡは、画像読取センサ５５Ａ、５５Ｂにより画像を読み取られた後、第２排出口５２２から筐体３０の外部に排出される。
【０１１３】
上記第４実施例の画像読取装置も、第１実施例の画像読取装置１と同様の作用効果を奏することができる。
【０１１４】
以上において、本発明を第１〜第４実施例に即して説明したが、本発明は上記第１〜第４実施例に制限されるものではなく、その趣旨を逸脱しない範囲で適宜変更して適用できることはいうまでもない。
【０１１５】
第１実施例では、給送トレイ３６は、筐体３０に対して開位置と閉位置との間で回動軸心Ｘ１周りに回動可能に設けられているが、この構成には限定されない。例えば、給送トレイは、筐体３０に対して開位置と閉位置との間でスライドしてもよい。
【０１１６】
第１実施例では、操作開口３９を介して、直接タッチパネル７０に触れるようになっているがこの構成には限定されない。例えば、操作開口３９に透明な膜が設けられていてもよい。この場合、給送トレイ３６が閉位置にある状態で、その膜を介して、タッチパネル７０を操作することになる。
【０１１７】
例えば、第１実施例におけるタッチパネル７０を表示パネルのみに変更し、操作開口３９に透明な接触感知膜を設けて、本発明の操作部としてもよい。
【０１１８】
本発明の操作部は、第１実施例のタッチパネル７０に限定されず、例えば、静電容量式のボタン又はキー等であってもよい。また、本発明の操作部は、有線又は無線により本発明の画像読取装置に対して情報伝達可能に接続されるスマートフォン等の情報端末であってもよい。
【０１１９】
第１実施例における給送トレイ３６の先端縁３６Ｅは、第１排出口１２及び第２排出口２２より上方に位置していたがこの構成には限定されない。例えば、給送トレイの先端縁を画像読取装置の設置面近くまで延出させ、給送トレイが第１排出口の一部を覆うが、給送トレイにおける第２排出口の周辺だけは、貫通穴又は切欠きが形成されて、給送トレイが第２排出口を覆わないようにしてもよい。
【０１２０】
第１実施例では、図８のステップＳ１０２及びステップＳ１０３により、第２導入口２１においてカードＣＡが存在することをカードセンサ６２が検知する場合に、タッチパネル７０からカードＣＡの読取指示を受けていたが、この構成には限定されない。例えば、給送トレイ３６が閉位置にある状態で、第２導入口１２においてカードＣＡが存在するか否かにかかわらず、タッチパネル７０からカードＣＡの読取指示を受けた場合、搬送部４０の駆動モータ４０Ｍが稼働し、搬送ローラ４２Ａ、４２Ｂ、４２Ｃが回転するようにしてもよい。
【産業上の利用可能性】
【０１２１】
本発明は画像読取装置又は複合機等に利用可能である。
【符号の説明】
【０１２２】
１…画像読取装置、ＳＨ…シート（第１媒体）、ＣＡ…カード（第２媒体）
１１…第１導入口、１２…第１排出口、１０…第１搬送路、２０…第２搬送路
２１、４２１…第２導入口、２２、４２１、５２２…第２排出口
３０…筐体、３６…給送トレイ、４０…搬送部、５４…制御基板（制御部）
６０…開閉位置センサ（位置検知部）、６２…カードセンサ（媒体検知部）
７０…タッチパネル（操作部）、５５…読取部
３１Ａ…筐体の一面（上面）、３９…操作開口、Ｘ１…回動軸心
３６Ｅ…給送トレイの先端縁、３６Ｓ…給送トレイの表面、３０Ｓ…筐体の表面
Ｌ１…閉位置にある給送トレイの表面における回動軸心から先端縁までの距離
Ｌ２…筐体の表面における回動軸心から開口までの距離
【図１】
2014053756.tif 000003
【図２】
2014053756.tif 000004
【図３】
2014053756.tif 000005
【図４】
2014053756.tif 000006
【図５】
2014053756.tif 000007
【図６】
2014053756.tif 000008
【図７】
2014053756.tif 000009
【図８】
2014053756.tif 000010
【図９】
2014053756.tif 000011
【図１０】
2014053756.tif 000012
【図１１】
2014053756.tif 000013
【図１２】
2014053756.tif 000014